(57)【特許請求の範囲】
【請求項１】
園芸バリカン本体と、
園芸バリカン本体に往復運動可能に設けられているブレードと、
園芸バリカン本体に内蔵されている回転源によって回転させられるカムを備え、
前記ブレードには、前記カムと嵌合している嵌合孔が形成されており、
前記カムは、回転軸から外周側面に到る径が周方向に変化している偏心カムであるとともに、少なくとも径方向に移動可能に設けられている可動部材を備えており、
前記可動部材には、前記カムの外周側面の一部を構成しているとともに、前記ブレードが運動方向を反転する位置にあるときに前記嵌合孔と接触する曲面が形成されており、
前記可動部材を前記カムの径方向外側に向けて付勢している付勢部材を備えていることを特徴とする園芸バリカン。
【請求項２】
前記カムの回転軸方向に変位可能に設けられており、回転軸の一方方向に変位したときに前記可動部材を前記カムの径方向外側に向けて移動させるとともに前記可動部材が前記カムの径方向内側に向けて移動したときに回転軸の他方方向に変位する変位部材が付加されており、
前記付勢部材は、前記変位部材を前記回転軸の一方方向に向けて付勢していることを特徴とする請求項１の園芸バリカン。
【請求項３】
前記可動部材と前記変位部材の少なくとも一方には、前記カムの回転軸に対して傾斜しているテーパ面が形成されており、
前記可動部材と前記変位部材は、前記テーパ面に沿って相対位置を変化させることを特徴とする請求項２の園芸バリカン。
【請求項４】
前記可動部材と前記変位部材の間に介在している係合部材が付加されており、
前記可動部材と前記変位部材のそれぞれには、前記係合部材が係合可能な係合部が形成されており、
前記可動部材と前記変位部材が所定の相対位置にあるときに、前記係合部材が前記可動部材側の係合部と前記変位部材側の係合部の両者に係合することを特徴とする請求項３の園芸バリカン。
【請求項５】
前記可動部材は、径方向外側に移動したときに回転軸の一方方向に変位し、径方向内側に移動したときに回転軸の他方方向に変位し、
前記付勢部材は、前記可動部材を回転軸の一方方向に向けて付勢していることを特徴とする請求項１の園芸バリカン。
【請求項６】
園芸バリカン本体と、
園芸バリカン本体に往復運動可能に設けられている第１ブレードと、
園芸バリカン本体に往復運動可能に設けられている第２ブレードと、
園芸バリカン本体に内蔵されている回転源によって回転させられる第１カムと、
園芸バリカン本体に内蔵されている回転源によって回転させられる第２カムを備え、
前記第１ブレードには、前記第１カムと嵌合している第１嵌合孔が形成されており、
前記第２ブレードには、前記第２カムと嵌合している第２嵌合孔が形成されており、
前記第１カムは、回転軸から外周側面に到る径が周方向に変化している偏心カムであるとともに、少なくとも径方向に移動可能に設けられている第１可動部材を備えており、
前記第２カムは、回転軸から側面に至る径が前記第１カムと異なる位相で周方向に変化している偏心カムであるとともに、少なくとも径方向に移動可能に設けられている第２可動部材を備えており、
前記第１可動部材には、前記第１カムの外周側面の一部を構成しているとともに、前記第１ブレードが運動方向を反転する位置にあるときに前記第１嵌合孔と接触する曲面が形成されており、
前記第２可動部材には、前記第２カムの外周側面の一部を構成しているとともに、前記第２ブレードが運動方向を反転する位置にあるときに前記第２嵌合孔と接触する曲面が形成されており、
前記第１可動部材を前記第１カムの径方向外側に向けて付勢しているとともに、前記第２可動部材を前記第２カムの径方向外側に向けて付勢している付勢部材を備えていることを特徴とする園芸バリカン。
【請求項７】
前記第２可動部材は、回転軸方向に変位可能に設けられており、回転軸の一方方向に変位したときには第１可動部材が第１カムの径方向外側に向けて移動するとともに第２可動部材が前記第２カムの径方向外側に向けて移動し、第１可動部材が第１カムの径方向内側に向けて移動するとともに前記第２可動部材が前記第２カムの径方向内側に向けて移動したきには回転軸の他方方向に変位し、
前記付勢手段は、前記第２可動部材を前記回転軸の一方方向に向けて付勢していることを特徴とする請求項６の園芸バリカン。
【請求項８】
前記第１可動部材と前記第２可動部材の少なくとも一方には、回転軸に対して傾斜しているテーパ面が形成されており、
前記第１可動部材と前記第２可動部材は、前記テーパ面に沿って相対位置を変化させることを特徴する請求項７の園芸バリカン。
【請求項９】
前記第１可動部材と前記第２可動部材の間に介在している係合部材が付加されており、
前記第１可動部材と前記第２可動部材のそれぞれには、前記係合部材が係合可能な係合部が形成されており、
前記第１可動部材と前記第２可動部材が所定の相対位置にあるときに、前記係合部材が前記第１可動部材側の係合部と前記第２可動部材側の係合部の両者に係合することを特徴とする請求項８の園芸バリカン。
【発明の詳細な説明】
【技術分野】
【０００１】
本発明は、例えば芝生バリカンやヘッジトリマ等と称される園芸バリカンに関する。特に、園芸バリカンが発生する騒音を低減するための技術に関する。
【背景技術】
【０００２】
草木等の手入れに用いられる園芸バリカンが開発されている。園芸バリカンは、一対のブレードと、一対のブレードの少なくとも一方を往復運動させる回転源を備えている。一対のブレードのそれぞれには、櫛状に並んでいる複数の刃部が形成されている。園芸バリカンは、一対のブレードを相対的に往復運動させることによって、草木等を切断する。
園芸バリカンの本体には、回転源によって回転させられるカムが内蔵されている。そのカムは偏心カムであり、回転中心から側面に至るまでの距離（径）が周方向に変化している。ブレードには、カムが嵌合している嵌合孔が形成されている。カムが偏心回転することによって、ブレードが往復運動するようになっている。
カムとブレードの嵌合孔との間には、カムとブレードの製造上の寸法精度を考慮して、クリアランス（あそび）が設けられている。カムとブレードの嵌合孔との間にあそびが存在することから、ブレードの運動方向が反転する際に、カムがブレードの嵌合孔から瞬間的に離反する。その結果、カムがブレードの嵌合孔に再び接触するときに、衝突音が発生する。この衝突音が、園芸バリカンが発生する騒音を増大させている。
上記の問題に対して、特許文献１に記載のヘッジトリマでは、ブレードをカムに向けて付勢するばね部材を設け、カムがブレードの嵌合孔から離反することを禁止するようにしている。
【特許文献１】特開２００３−１３４９３５号公報
【発明の開示】
【発明が解決しようとする課題】
【０００３】
特許文献１のヘッジトリマでは、ばね部材の弾性力に抗してブレードを進退させる必要があることから、本来的に必要となるモータよりも大型のモータを必要としてしまう。
本発明は、上記の課題を解決する。本発明では、無用に大型のモータを必要とすることなく、園芸バリカンが発生する騒音を低減することができる技術を提供する。
【課題を解決するための手段】
【０００４】
本発明によって具現化される園芸バリカンは、園芸バリカン本体と、園芸バリカン本体に往復運動可能に設けられているブレードと、園芸バリカン本体に内蔵されている回転源によって回転させられるカムを備えている。ブレードには、カムと嵌合している嵌合孔が形成されている。カムは、回転軸から外周側面に到る径が周方向に変化している偏心カムであるとともに、少なくとも径方向に移動可能に設けられている可動部材を備えている。可動部材には、カムの外周側面の一部を構成しているとともに、ブレードが運動方向を反転する位置にあるときに嵌合孔と接触する曲面が形成されている。この園芸バリカンは、可動部材をカムの径方向外側に向けて付勢している付勢部材を備えている。
【０００５】
この園芸バリカンでは、ブレードが運動方向を反転する位置にあるときに、可動部材に形成されている曲面が嵌合孔と接触する。このとき可動部材は、嵌合孔との干渉量に応じて、カムの径方向内側に移動することができる。それにより、ブレードが運動方向を反転する位置において、カムと嵌合孔との間にクリアランスを設けておく必要がなくなり、カムが嵌合孔から完全に離反することを禁止することができる。両者による衝突音を顕著に低減することができる。
可動部材を付勢する力は、ブレードを付勢する力に比べて十分に小さくて済むことから、大型なモータを必要とすることがない。
この園芸バリカンによると、無用に大型のモータを必要とすることなく、園芸バリカンが発生する騒音を低減することができる。
【０００６】
上記の園芸バリカンでは、カムの回転軸方向に変位可能に設けられており、回転軸の一方方向に変位したときに可動部材をカムの径方向外側に向けて移動させるとともに、前記可動部材が前記カムの径方向内側に向けて移動したときに回転軸の他方方向に変位する変位部材が付加されていることが好ましい。この場合、付勢部材は、変位部材を回転軸の一方方向に向けて付勢していることが好ましい。
可動部材を径方向外側に向けて付勢するためには、カムの回転に追従して可動部材を付勢する方向を変化させる必要があり、園芸バリカンの構成が複雑となってしまうことがある。
この園芸バリカンでは、変位部材を回転軸方向に付勢することによって、可動部材を常に径方向外側に向けて付勢することができる。カムが回転しても回転軸方向は変化しないことから、比較的に簡単な構成によって、可動部材を常に径方向外側に付勢することができる。
【０００７】
可動部材と変位部材の少なくとも一方には、カムの回転軸に対して傾斜しているテーパ面が形成されていることが好ましい。そして、可動部材と変位部材は、そのテーパ面に沿って相対位置を変化させることが好ましい。
それにより、園芸バリカンの構成を過剰に複雑にすることなく、可動部材の径方向の移動に連動させて、変位部材を回転軸方向に変位させることができる。
【０００８】
上記の園芸バリカンでは、前記可動部材と前記変位部材の間に介在している係合部材が付加されており、可動部材と変位部材のそれぞれには、係合部材が係合可能な係合部が形成されていることが好ましい。そして、可動部材と変位部材が所定の相対位置にあるときに、係合部材が可動部材側の係合部と変位部材側の係合部の両者に係合することが好ましい。
それにより、可動部材が嵌合孔に接触していない間は、可動部材と変位部材を略一体に係止しておくことができる。可動部材や変位部材による新たな騒音の発生を防ぐことができる。
【０００９】
上記したように、変位部材を用いることによって、可動部材を径方向外側に向けて付勢する構成を簡単化することができる。その一方において、本発明の技術は、変位部材を必要とすることなく、可動部材を径方向外側に向けて付勢することができる園芸バリカンを具現化することもできる。この園芸バリカンでは、可動部材が、径方向外側に移動したときに回転軸の一方方向に変位し、径方向内側に移動したときに回転軸の他方方向に変位する。そして、付勢部材は、可動部材を回転軸の一方方向に向けて付勢している。
この園芸バリカンでは、可動部材を回転軸方向に付勢することによって、可動部材を常に径方向外側に向けて付勢することができる。カムが回転しても回転軸方向は変化しないことから、比較的に簡単な構成によって、可動部材を常に径方向外側に付勢することができる。
上述した技術は、一対のブレードの一方が往復運動する園芸バリカンにも、一対のブレードの双方が往復運動する園芸バリカンにも適用することができる。往復運動するブレード毎に、上記した技術は適用することができる。
【００１０】
本発明の技術を一対のブレードの双方が進退する園芸バリカンに適用する場合、次の園芸バリカンを具現化することもできる。この園芸バリカンは、園芸バリカン本体と、園芸バリカン本体に往復運動可能に設けられている第１ブレードと、園芸バリカン本体に往復運動可能に設けられている第２ブレードと、園芸バリカン本体に内蔵されている回転源によって回転させられる第１カムと、園芸バリカン本体に内蔵されている回転源によって回転させられる第２カムを備えている。第１ブレードには、第１カムと嵌合している第１嵌合孔が形成されている。第２ブレードには、第２カムと嵌合している第２嵌合孔が形成されている。第１カムは、回転軸から外周側面に到る径が周方向に変化している偏心カムであるとともに、少なくとも径方向に移動可能に設けられている第１可動部材を備えている。第２カムは、回転軸から側面に至る径が第１カムと異なる位相で周方向に変化している偏心カムであるとともに、少なくとも径方向に移動可能に設けられている第２可動部材を備えている。第１可動部材には、第１カムの外周側面の一部を構成しているとともに、第１ブレードが運動方向を反転する位置にあるときに第１嵌合孔と接触する曲面が形成されている。第２可動部材には、第２カムの外周側面の一部を構成しているとともに、第２ブレードが運動方向を反転する位置にあるときに第２嵌合孔と接触する曲面が形成されている。この園芸バリカンは、第１可動部材を第１カムの径方向外側に向けて付勢しているとともに、第２可動部材を第２カムの径方向外側に向けて付勢している付勢部材を備えている。
【００１１】
この園芸バリカンでは、第１ブレードが運動方向を反転する位置にあるときに、第１カムが第１嵌合孔から完全に離反することがない。また、第２ブレードが運動方向を反転する位置にあるときに、第２カムが第２嵌合孔から完全に離反することがない。第１カムと第１嵌合孔との衝突音や、第２カムと第２嵌合孔との衝突音を、顕著に低減することができる。
この園芸バリカンによると、無用に大型のモータを必要とすることなく、園芸バリカンが発生する騒音を低減することができる。
この園芸バリカンでは、２つの可動部材を共通の付勢手段で付勢しているので、園芸バリカンの構成が過剰に複雑になってしまうことを防止することもできる。
【００１２】
第２可動部材は、回転軸方向に変位可能に設けられており、回転軸の一方方向に変位したときには第１可動部材が第１カムの径方向外側に向けて移動するとともに第２可動部材が前記第２カムの径方向外側に向けて移動し、第１可動部材が第１カムの径方向内側に向けて移動するとともに前記第２可動部材が前記第２カムの径方向内側に向けて移動したきには回転軸の他方方向に変位することが好ましい。この場合、付勢手段は、第２可動部材を前記回転軸の一方方向に向けて付勢していることが好ましい。
それにより、比較的に簡単な構成によって、第１可動部材を常に第１カムの径方向外側に向けて付勢するとともに、第２可動部材を常に第２カムの径方向外側に向けて付勢することができる。
【００１３】
第１可動部材と第２可動部材の少なくとも一方には、回転軸に対して傾斜しているテーパ面が形成されていることが好ましい。そして、第１可動部材と第２可動部材は、そのテーパ面に沿って相対位置を変化させることが好ましい。
それにより、園芸バリカンの構成を過剰に複雑にすることなく、第１可動部材や第２可動部材の径方向の移動に連動させて、第２可動部材を回転軸方向に変位させることができる。
【００１４】
上記の園芸バリカンでは、第１可動部材と第２可動部材の間に介在している係合部材が付加されており、第１可動部材と第２可動部材のそれぞれには、係合部材が係合可能な係合部が形成されていることが好ましい。この場合、第１可動部材と第２可動部材が所定の相対位置にあるときに、係合部材が第１可動部材側の係合部と第２可動部材側の係合部の両者に係合することが好ましい。
それにより、第１可動部材や第２可動部材が第１嵌合孔や第２嵌合孔に接触していない間は、第１可動部材と第２可動部材を略一体に係止しておくことができる。第１可動部材や第２可動部材による新たな騒音の発生を防ぐことができる。
【発明の効果】
【００１５】
本発明により、ブレードの進退運動を妨げないようにしながら、園芸バリカンが発生する騒音を低減することが可能となり、有用な園芸バリカンを実現することが可能となる。
【発明を実施するための最良の形態】
【００１６】
最初に、以下に説明する実施例の主要な特徴を列記する。
（形態１）  第２可動部材は、第１カムや第２カムの回転軸方向に変位可能に設けられている。第２可動部材は、回転軸の一方方向に変位したときに第１可動部材を第１カムの径方向外側に向けて移動させるとともに、第１可動部材が第１カムの径方向内側に向けて移動したときに回転軸の他方方向に変位する。
（形態２）  第２可動部材は、第１可動部材に形成されているテーパ面に沿って移動する。第２可動部材は、第２カムの径方向外側に移動したときに回転軸の一方方向に変位し、第２カムの径方向内側に移動したときに回転軸の他方方向に変位する。
（形態３）  第１可動部材と第２可動部材の間にはローラ部材が介在している。第１可動部材と第２可動部材のそれぞれには、ローラ部材が係合可能なローラ溝が形成されている。
【実施例】
【００１７】
（実施例１）
図１、図２を参照して、本実施例のヘッジトリマ１０の全体構成について説明する。図１は、ヘッジトリマ１０を側方からみたときの断面図であり、図２はヘッジトリマ１０を下方からみたときの一部破断図である。図１、図２に示すように、本実施例のヘッジトリマ１０は、ヘッジトリマ本体（以下、単に本体と略すことがある）１２と、本体１２に固定されているシャーブレードアセンブリ３０を備えている。シャーブレードアセンブリ３０は、複数のネジ６４（一部は図示省略）によって本体１２に固定されている。シャーブレードアセンブリ３０は、工具（スクリュウドライバ等）を用いて本体１２に脱着可能に取付けられている。利用者は、シャーブレードアセンブリ３０が摩耗等によって劣化したときに、新品のシャーブレードアセンブリ３０と交換することができる。
本体１２には、利用者が把持するための第１把持部１４および第２把持部２０と、切屑が利用者に向けて飛散することを防止するガード部２２等が設けられている。第１把持部１４には、ヘッジトリマ１０の運転／停止を切換えるための運転スイッチ１６が設けられている。
【００１８】
本体１２の内部には、モータ（回転源）１８と、回転ギヤ４６と、第１カム５１と、第２カム５２と、Ｏ（オー）リング（付勢部材）５４等が設けられている。
モータ１８は、運転スイッチ１６の運転／停止操作に伴って回転／停止するようになっている。モータ１８の回転軸１８ａにはギヤが刻設されている。モータ１８の回転軸１８ａには、回転ギヤ４６が噛合している。回転ギヤ４６は、シャフト４４によって、回転軸Ｃの回りに回転可能に軸支されている。第１カム５１と第２カム５２は、２つの結合ピン４８によって回転ギヤ４６に固定されている。第１カム５１と第２カム５２は、回転ギヤ４６とともに回転軸Ｃの回りに回転可能となっている。モータ１８が回転することによって、第１カム５１と第２カム５２は図中のＲ方向に回転する。
【００１９】
シャーブレードアセンブリ３０は、本体１２に固定されているガイドプレート３４と、ガイドプレート３４に固定されているプレッシャプレート３２と、ガイドプレート３４とプレッシャプレート３２との間に位置している第１（上側）シャーブレード４１および第２（下側）シャーブレード４２を備えている。第１シャーブレード４１と第２シャーブレード４２は、ガイドプレート３４とプレッシャプレート３２によって挟持されており、長手方向（図１、図２における左右方向）に移動可能となっている。
第１シャーブレード４１は、長手方向に沿って櫛状に並んでいる複数の刃部４１ａを備えている。第１シャーブレード４１の本体１２側に位置する端部には、第１嵌合孔６１が形成されている。第１嵌合孔６１には、第１カム５１が嵌合している。第１嵌合孔６１は、長円形状をしており、その長径は第１シャーブレード４１の長手方向（刃部４１ａ群の並び方向）と直交する方向に伸びている。同様に、第２シャーブレード４２は、長手方向に沿って櫛状に並んでいる複数の刃部４２ａを備えている。第２シャーブレード４２の本体１２側に位置する端部には、第２嵌合孔６２が形成されている。第２嵌合孔６２には、第２カム５２が嵌合している。第２嵌合孔６２は、長円形状をしており、その長径は第２シャーブレード４２の長手方向（刃部４２ａ群の並び方向）と直交する方向に伸びている。なお図２では、第１嵌合孔６１と第２嵌合孔６２が重なった状態で図示されている。
【００２０】
図３は、回転軸Ｃに沿って上方（回転ギヤ４６側）からみたときの第１カム５１と第２カム５２を示している。図３に示すように、第１カム５１は、回転軸Ｃから外周側面５１ａに到る径Ｄ１が周方向に変化している偏心カムである。第１カム５１は、回転軸Ｃの回りに偏心回転するようになっている。第１カム５１が偏心回転することによって、第１シャーブレード４１は長手方向（刃部４１ａ群の並び方向）に沿って往復運動する。同様に、第２カム５２は、回転軸Ｃから外周側面５２ａに到る径Ｄ２が周方向に変化している偏心カムである。第２カム５２は、回転軸Ｃの回りに偏心回転するようになっている。第２カム５２が偏心回転することによって、第２シャーブレード４２は長手方向（刃部４２ａ群の並び方向）に沿って往復運動する。
第１カム５１の径Ｄ１の周方向における変化に対して、第２カム５２の径Ｄ２の周方向における変化は、略１８０度の位相差を持っている。それにより、第１カム５１と第２カム５２は、１８０度の位相差を持って偏心回転するようになっている。その結果、第１シャーブレード４１と第２シャーブレード４２には、移動方向が相反する対称的な往復運動が実現される。第１シャーブレード４１と第２シャーブレード４２が相対的に往復運動することによって、第１シャーブレード４１の刃部４１ａ群と第２シャーブレード４２の刃部４２ａ群とが繰り返し交差することとなり、草木等を切断することができる。
【００２１】
図４は、図３に示すＩＶ−ＩＶ線による断面図を示している。図３、図４に示すように、第１カム５１と第２カム５２は、主に、カムクランク部材５０と、第１可動部材７１と、第２可動部材７２と、ローラ部材７５を用いて構成されている。図５にカムクランク部材５０を示し、図６に第１可動部材７１と第２可動部材７２を示す。第１可動部材７１と第２可動部材７２は、同一形状の部材である。
図５に示すように、カムクランク部材５０は、円板形状の第１カム５１と円板形状の第２カム５２を、径方向にオフセットさせて重ね合わせた部材である。第１カム５１と第２カム５２は同一形状であって、カムクランク部材５０は表裏対称の形状を有している。カムクランク部材５０には、切除孔５０ａが形成されている。切除孔５０ａは、第１カム５１の外周周面５１ａの一部を切除しているとともに、第２カム５２の外周周面５２ａの一部を切除している。切除孔５０ａには、略平行に対向している一対の案内面５０ｅが形成されている。カムクランク部材５０には、結合ピン４８用の孔５０ｃが形成されている。
図６に示すように、第１可動部材７１や第２可動部材７２は、概して碇に似た輪郭形状を有している板状部材である。第１可動部材７１の側面には、円弧状に湾曲している円弧面７１ａや、互いに平行な一対の被案内面７１ｅが形成されている。第１可動部材７１には、シャフト４４が貫通するためのシャフト孔７１ｆが形成されている。シャフト孔７１ｆは、シャフト４４の径に対して十分に大きく形成されている。第１可動部材７１には、円弧面７１ａやシャフト孔７１ｆに対して傾斜しているテーパ面７１ｂが形成されている。テーパ面７１ｂには、ローラ部材７５を係止するためのローラ溝７１ｃが形成されている。ローラ溝７１ｃは、一対の被案内面７１ｅに対して垂直に伸びている。同様に、第２可動部材７２には、円弧面７２ａや、被案内面７２ｅや、シャフト孔７２ｆや、テーパ面７２ｂや、ローラ溝７２ｃが形成されている。
【００２２】
図３、図４に示すように、第１可動部材７１は、カムクランク部材５０の切除孔５０ａに遊嵌している。第１可動部材７１の円弧面７１ａは、第１カム５１の外周側面５１ａの一部を構成している。第１可動部材７１の一対の被案内面７１ｅは、カムクランク部材５０の切除孔５０ａに形成されている一対の案内面５０ｅにそれぞれ当接している。第１可動部材７１は、第１カム５１に対して径方向に移動可能に案内されている。また第１可動部材７１は、第１カム５１に対して相対回転することが禁止されている。第１可動部材７１のテーパ面７１ｂは、第２可動部材７２側に位置している。テーパ面７１ｂは、回転軸Ｃに対して傾斜している。
同様に、第２可動部材７２は、カムクランク部材５０の切除孔５０ａに遊嵌している。第２可動部材７２の円弧面７２ａは、第２カム５２の外周側面５２ａの一部を構成している。第２可動部材７２の一対の被案内面７２ｅは、カムクランク部材５０の切除孔５０ａに形成されている案内面５０ｅにそれぞれ当接している。第２可動部材７２は、第２カム５２に対して径方向および回転軸Ｃ方向に移動可能に案内されている。また第２可動部材７２は、第２カム５２に対して相対回転することが禁止されている。第２可動部材７２のテーパ面７２ｂは、第１可動部材７１側に位置しており、第１可動部材７１のテーパ面７１ｂと対向している。第２可動部材７２のテーパ面７２ｂは、回転軸Ｃに対して傾斜している。
第１可動部材７１と第２可動部材７２は、テーパ面７１ｂ、７２ｂに沿って相対的に変位する。例えば、第２可動部材７２が回転軸Ｃ方向上方（一方方向）に変位すると、第１可動部材７１は第１カム５１の径方向外側に向けて移動するとともに、第２可動部材７２は第２カム５２の径方向外側に向けて移動する。また、第１可動部材７１が第１カム５１の径方向内側に向けて移動するとともに第２可動部材７２が第２カム５２の径方向内側に向けて移動すると、第２可動部材７２は回転軸Ｃ方向下方（他方方向）に向けて変位する。即ち、第１可動部材７１の径方向の移動に連動して、第２可動部材７２は回転軸Ｃ方向に変位する。また、第２可動部材７２は、第２カム５２の径方向外側に移動したときに回転軸Ｃ方向上方（一方方向）に変位し、第２カム５２の径方向内側に移動したときに回転軸Ｃ方向下方（他方方向）に変位する。
【００２３】
Ｏリング５４は、リング状の弾性部材である。Ｏリング５４は、シャフト４４に設けられている。Ｏリング５４は、第２可動部材７２を回転軸Ｃ方向上方（一方方向）に向けて付勢している。Ｏリング５４が第２可動部材７２を回転軸Ｃ方向上方に向けて付勢力することによって、第１可動部材７１が第１カム５１の径方向外側に向けて付勢されるとともに、第２可動部材７２が第２カム５２の径方向外側に向けて付勢される。
第２可動部材７２を付勢する際には、Ｏリング５４に換えて、皿ばねや、つるまきばねや、ばね座金や等を用いることもできる。
本来、第１可動部材７１を第１カム５１の径方向外側に向けて付勢するためには、第１カム５１の回転に追従して第１可動部材７１を付勢する方向を変化させる必要がある。同様に、第２可動部材７２を第２カム５２の径方向外側に向けて付勢するためには、第２カム５２の回転に追従して第２可動部材７２を付勢する方向を変化させる必要がある。それに対して、このヘッジトリマ１０では、回転軸Ｃ方向に付勢力を発揮するＯリング５４（付勢部材）によって、第１可動部材７１を第１カム５１の径方向外側に向けて付勢するとともに、第２可動部材７２を第２カム５２の径方向外側に向けて付勢している。それにより、ヘッジトリマ１０の構成が過剰に複雑になることが防止されている。
【００２４】
図１、図２、図３、図４は、第１シャーブレード４１と第２シャーブレード４２が、それぞれの往復運動の中間点に位置する状態を示している。図３に示すように、この状態において、第１カム５１と第１嵌合孔６１は１つの点Ｓ１において接触している。一方、第１可動部材７１の円弧面７１ａは、第１嵌合孔６１と接触していない。第１可動部材７１は、Ｏリング５４の付勢力によって、第１カム５１の径方向外側へと変位している。このとき、第１可動部材７１の円弧面７１ａ上の点Ｓ３と、その点Ｓ３に対向する位置にある点Ｓ４とを結んだ第１カム５１の直径は、第１嵌合孔６１の短径Ｌよりも長くなっている。ここで、点Ｓ３は、第１カム５１の外周側面５１ａにおいて、回転軸Ｃからの距離（径）が最も短くなる点である。点Ｓ４は、第１カム５１の外周側面５１ａにおいて、回転軸Ｃからの距離（径）が最も長くなる点である。第１可動部材７１の円弧面７１ａには、回転軸Ｃからの距離（径）が最も短くなる点Ｓ３が含まれている。
同様に、第２カム５２と第２嵌合孔６２は点Ｓ２において接触している。一方、第２可動部材７２の円弧面７２ａは第２嵌合孔６２と接触していない。第２可動部材７２は、Ｏリング５４の付勢力によって、第２カム５２の径方向外側へと変位している。このとき、第２カム５２の外周側面５２ａにおいて回転軸Ｃからの距離（径）が最も短くなる点と、第２カム５２の外周側面５２ａにおいて回転軸Ｃからの距離（径）が最も長くなる点とを結んだ第２カム５２の直径は、第２嵌合孔６２の短径よりも長くなっている。第２可動部材７２の円弧面７２ａには、回転軸Ｃからの距離（径）が最も短くなる点が含まれている。
ローラ部材７５は、第１可動部材７１側のローラ溝７１ｃと第２可動部材７２側のローラ溝７２ｃの両者に係合している。ローラ部材７５は、Ｏリング５４による付勢力とともに、第１可動部材７１と第２可動部材７２を略一体に係止している。それにより、第１可動部材７１や第２可動部材７２が無用に変位することが禁止されている。第１可動部材７１や第２可動部材７２が新たな騒音を発生することがないようになっている。
【００２５】
図７、図８は、第１シャーブレード４１が本体１２に対して最も突出した位置にあり、第２シャーブレード４２が本体１２に対して最も引き込まれた位置にある状態を示している。図１、図２に示す状態から、図７、図８に示す状態へと変化する間に、第１シャーブレード４１の刃部４１ａと第２シャーブレード４２の刃部４２ａは交差する。それにより、草木等が切断される。第１カム５１と第２カム５２がさらに回転すると、第１シャーブレード４１と第２シャーブレード４２の運動方向は反転する。図７、図８に示す状態から、第１カム５１と第２カム５２が略１８０度回転すると、第１シャーブレード４１が本体１２に対して最も引き込まれた位置まで移動し、第２シャーブレード４２が本体１２に対して突出した位置まで移動する。第１カム５１と第２カム５２がさらに回転すると、第１シャーブレード４１と第２シャーブレード４２の運動方向が再び反転する。
図９は、第１シャーブレード４１と第２シャーブレード４２が運動方向を反転する位置にあるときの第１カム５１と第２カム５２の様子を示している。図９に示すように、第１シャーブレード４１の運動方向が反転する時点において、第１カム５１と第１嵌合孔６１は、２つの点Ｓ３、Ｓ４によって接触する。第１可動部材７１は、第１嵌合孔６１との干渉量に応じて、第１カム５１の径方向内側へと変位する。第１シャーブレード４１が運動方向を反転する位置にあるときに、第１カム５１は第１嵌合孔６１にあそびなく嵌合する。第１シャーブレード４１が運動方向を反転する際に、第１カム５１が第１嵌合孔６１から完全に離反することが禁止される。第１カム５１と第１シャーブレード４１による衝突音は顕著に低減される。第２カム５２についても同様であり、第２シャーブレード４２が運動方向を反転する位置にあるときに、第２カム５２は第２嵌合孔６２にあそびなく嵌合する。第２シャーブレード４２の運動方向が反転する際に、第２カム５２が第２嵌合孔６２から完全に離反することが禁止される。第２カム５２と第２シャーブレード４２による衝突音が顕著に低減される。
図９に示すように、第１シャーブレード４１の運動方向が反転する時点において、第１カム５１と第１嵌合孔６１は２つの点Ｓ３、Ｓ４によって接触する。そのことから、第１可動部材７１を点Ｓ４側に設け、第１可動部材７１の円弧面７１ａに回転軸Ｃからの径が最も長くなる点Ｓ４が含まれるようにしてもよい。
【００２６】
図１０は、図９に示すＸ−Ｘ線による断面図を示している。図１０に示すように、第１可動部材７１が第１カム５１の径方向内側に向けて移動すると、それに連動して第２可動部材７２が回転軸Ｃ方向下方に向けて変位する。また、第２可動部材７２が第２カム５２の径方向内側に向けて移動すると、第２可動部材７２自身が回転軸Ｃ方向下方に向けて変位する。このときローラ部材７５は、第１可動部材７１側のローラ溝７１ｃと第２可動部材７２側のローラ溝７２ｃの少なくとも一方から離脱する。ローラ部材７５がローラ溝７１ｃ、７２ｃから離脱することによって、第１可動部材７１と第２可動部材７２が相対的に変位することが許容される。また、ローラ部材７５がローラ溝７１ｃ、７２ｃから離脱することによって、第２可動部材７２の回転軸Ｃ方向下方への変位は増幅される。第２可動部材７２の回転軸Ｃ方向下方への変位に応じて、Ｏリング５４は第２可動部材７２に回転軸Ｃ方向上方に向けて付勢力を加える。Ｏリング５４の付勢力によって、第１可動部材７１は第１カム５１の径方向外側に向けて付勢され続けるとともに、第２可動部材７２は第２カム５２の径方向外側に向けて付勢され続ける。
【００２７】
（実施例２）
図１１、図１２を参照して、実施例２の芝生バリカン１１０について説明する。図１１は、芝生バリカン１１０を側方からみたときの断面図であり、図１２は芝生バリカン１１０を下方からみたときの一部破断図である。図１１、図１２に示すように、本実施例の芝生バリカン１１０は、芝生バリカン本体（以下、単に本体と略すことがある）１１２と、本体１１２に設けられている第１（上側）ブレード１４１と第２（下側）ブレード１４２を備えている。第１ブレード１４１と第２ブレード１４２は、軸支ピン１４４によって、本体１１２に揺動可能に支持されている。
芝生バリカン１１０の本体１１２には、利用者が把持するための把持部１１４が設けられている。把持部１１４には、芝生バリカン１１０の運転／停止を切換えるための運転スイッチ１１６が設けられている。
【００２８】
本体１１２の内部には、モータ（回転源）１１８と、伝達ギヤ１６６と、回転ギヤ１４６と、第１カム１５１と、第２カム１５２と、Ｏリング（付勢部材）１５４等が設けられている。
モータ１１８は、運転スイッチ１１６の運転／停止操作に伴って回転／停止するようになっている。モータ１１８の回転動力は、伝達ギヤ１６６を介して回転ギヤ１４６へと伝達される。回転ギヤ１４６は、シャフト１４６によって軸支されており、回転軸Ｃの回りに回転可能となっている。回転ギヤ１４６には、第１カム１５１と第２カム１５２が固定されている。モータ１１８が回転することによって、第１カム１５１と第２カム１５２は回転軸Ｃの回りに回転する。
図１２に示すように、第１ブレード１４１は、櫛状に並んでいる複数の刃部１４１ａを備えている。第１ブレード１４１の本体１１２側に位置する端部には、第１カム１５１が嵌合している第１嵌合孔１６１が形成されている。第１嵌合孔１６１は長円形状をしており、その長径は第１ブレード１４１の刃部１４１ａ群の並び方向と略直交する方向に伸びている。同様に、第２ブレード１４２は、櫛状に並んでいる複数の刃部１４２ａを備えている。第２ブレード１４２の本体１１２側に位置する端部には、第２カム１５２が嵌合している第２嵌合孔１６２が形成されている。第２嵌合孔１６２は長円形状をしており、その長径は第２ブレード１４２の刃部１４２ａ群の並び方向と略直交する方向に伸びている。
【００２９】
図１３は、回転軸Ｃに沿って上方（回転ギヤ１４６側）からみたときの第１カム１５１を示している。第１カム１５１は、回転軸Ｃから外周側面１５１ａに到る径が周方向に変化している偏心カムである。第１カム１５１は、回転軸Ｃの回りに偏心回転するようになっている。第１カム１５１が偏心回転することによって、第１ブレード１４１は往復揺動運動する。
第１カム１５１には、第１可動部材１７１が設けられている。第１可動部材１７１は、第１カム１５１の径方向に移動可能となっている。第１可動部材１７１は、円弧面１７１ａを備えている。第１可動部材１７１の円弧面１７１ａは、第１カム１５１の外周側面１５１ａの一部を構成している。第１可動部材１７１には、シャフト１４４が貫通しているシャフト孔１７１ｆが形成されている。シャフト孔１７１ｆは、シャフト１４４の径に対して十分に大きく形成されている。
【００３０】
図１４は、回転軸Ｃに沿って下方（反回転ギヤ１４６側）からみたときの第１カム１５１と第２カム１５２を示している。図１４に示すように、第１カム１５１と第２カム１５２は、大きさが異なっている。第２カム１５２は、回転軸Ｃから外周側面１５２ａに到る径が周方向に変化している偏心カムである。第２カム１５２は、回転軸Ｃの回りに偏心回転するようになっている。第２カム１５２が偏心回転することによって、第２ブレード１４２は往復揺動運動する。
第２カム１５２には、第２可動部材１７２が設けられている。第２可動部材１７２は、第２カム１５２の径方向および回転軸Ｃ方向に移動可能となっている。第２可動部材１７２は、円弧面１７２ａを備えている。第２可動部材１７２の円弧面１７２ａは、第２カム１５２の外周側面１５２ａの一部を構成している。第２可動部材１７２には、シャフト１４４が貫通しているシャフト孔１７２ｆが形成されている。シャフト孔１７２ｆは、シャフト１４４の径に対して十分に大きく形成されている。
【００３１】
図１５は、第１カム１５１と第２カム１５２の断面構成を示している。図１５に示すように、第１可動部材１７１には、回転軸Ｃに対して傾斜しているテーパ面１７１ｂが形成されている。また、第２可動部材１７２には、回転軸Ｃに対して傾斜しているテーパ面１７２ｂが形成されている。第１可動部材１７１のテーパ面１７１ｂと、第２可動部材１７２のテーパ面１７２ｂは、対向している。第１可動部材１７１と第２可動部材１７２は、テーパ面１７１ｂ、１７２ｂに沿って相対的に変位する。即ち、第２可動部材１７２は、回転軸Ｃ方向上方に変位したときに、第１可動部材１７１を第１カム１５１の径方向外側に向けて移動させる。また第２可動部材１７２は、第１可動部材１７１が第１カム１５１の径方向内側に向けて移動したときに、回転軸Ｃ方向下方に変位する。また第２可動部材１７２は、第２カム１５２の径方向外側に向けて移動したときに回転軸Ｃ方向上方に変位し、第２カム１５２の径方向内側に向けて移動したときに回転軸Ｃ方向下方に変位する。
Ｏリング１５４は、リング状の弾性部材である。Ｏリング１５４は、シャフト１４４に設けられている。Ｏリング１５４は、第２可動部材１７２を回転軸Ｃ方向上方（回転ギヤ１４６側）に向けて付勢している。第１可動部材１７１と第２可動部材１７２は、テーパ面１７１ｂ、１７２ｂに沿って相対的に変位することから、Ｏリング１５４による付勢力によって、第１可動部材１７１は第１カム１５１の径方向外側に向けて付勢されるとともに、第２可動部材１７２は第２カム１５２の径方向外側に向けて付勢される。
第１可動部材１７１と第２可動部材１７２の間には、ローラ部材１７５が介在している。第１可動部材１７１と第２可動部材１７２のそれぞれには、ローラ部材１７５が係合可能なローラ溝１７１ｃ、１７２ｃが形成されている。図１５は、第１可動部材１７１の円弧面１７１ａが第１嵌合孔１６１に接触していないとともに、第２可動部材１７２の円弧面１７２ａが第２嵌合孔１６２に接触していないときを示している。この状態において、ローラ部材１７５は第１可動部材１７１側のローラ溝１７１ｃと第２可動部材１７２側のローラ溝１７２ｃの両者に係合するようになっている。ローラ部材１７５は、Ｏリング１５４の付勢力とともに、第１可動部材１７１と第２可動部材１７２を略一体に係止している。
【００３２】
本実施例の芝生バリカン１１０は、実施例１のヘッジトリマ１０と同様に、第１ブレード１４１が運動方向を反転する位置にあるときに、第１可動部材１７１の円弧面１７１ａが第１嵌合孔１６１と接触する。第１可動部材１７１は、第１嵌合孔１６１との干渉量に応じて、第１カム１５１の径方向内側に変位する。それにより、第１ブレード１４１が運動方向を反転する位置において、第１カム１５１と第１嵌合孔１６１との間にあそびを設けておく必要がない。第１ブレード１４１の運動方向が反転する際に、第１カム１５１が第１嵌合孔１６１から完全に離反してしまうことが禁止される。第１カム１５１と第１ブレード１４１との衝突音が顕著に低減される。
同様に、第２ブレード１４２が運動方向を反転する際にも、第２カム１５２が第２嵌合孔１６２から完全に離反してしまうことが禁止される。第２カム１５２と第２ブレード１４２との衝突音が顕著に低減される。
【００３３】
第１可動部材１７１が第１カム１５１の径方向内側に変位し、第２可動部材１７２が第２カム１５２の径方向内側に変位すると、ローラ部材１７５は、第１可動部材１７１側のローラ溝１７１ｃと第２可動部材１７２側のローラ溝１７２ｃの少なくとも一方から離脱する。ローラ部材７５がローラ溝１７１ｃ、１７２ｃから離脱することによって、第１可動部材１７１と第２可動部材１７２が相対的に変位することが許容される。また、ローラ部材１７５がローラ溝１７１ｃ、１７２ｃから離脱することによって、第２可動部材１７２の回転軸Ｃ方向下方への変位は増幅される。第２可動部材１７２の回転軸Ｃ方向下方への変位に応じて、Ｏリング１５４は第２可動部材１７２に回転軸Ｃ方向上方に向けて付勢力を加える。Ｏリング１５４の付勢力によって、第１可動部材１７１は第１カム１５１の径方向外側に向けて付勢され続けるとともに、第２可動部材１７２は第２カム１５２の径方向外側に向けて付勢され続ける。
【００３４】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
上記した技術は、一対のブレードの一方のみを駆動する片刃駆動型の園芸バリカンにも適用することができる。この場合、第１カムに係る構成を採用することもできるし、第２カムに係る構成を採用することもできる。概して言えば、第１カムの構成を採用する場合、第２可動部材を残して、第２カムに係る構成を取り除けばよい。第２カムの構成を採用する場合、例えば回転ギヤにテーパ面を設け、可動部材と回転ギヤがテーパ面に沿って相対変位する構成とし、第１カムに係る構成を取り除けばよい。
本明細書または図面に説明した技術要素は、単独であるいは各種の組合せによって技術的有用性を発揮するものであり、出願時の請求項に記載の組合せに限定されるものではない。本明細書または図面に例示した技術は複数の目的を同時に達成するものであり、そのうちの一つの目的を達成すること自体で技術的有用性を持つものである。
【図面の簡単な説明】
【００３５】
【図１】ヘッジトリマを側方からみたときの断面図（各シャーブレードが往復運動の中間位置にある状態）。
【図２】ヘッジトリマを下方からみたときの一部破断図（各シャーブレードが往復運動の中間位置にある状態）。
【図３】ヘッジトリマの第１カムと第２カムを示す図（各シャーブレードが往復運動の中間位置にある状態）。
【図４】図３のＩＶ−ＩＶ線による断面図。
【図５】ヘッジトリマのカムクランク部材を示す図。
【図６】ヘッジトリマの可動部材を示す図。
【図７】ヘッジトリマを側方からみたときの断面図（各シャーブレードが往復運動を反転させる位置にある状態）。
【図８】ヘッジトリマを下方からみたときの一部破断図（各シャーブレードが往復運動を反転させる位置にある状態）。
【図９】各シャーブレードが往復運動を反転させる位置にあるときの第１カムと第２カムを示す図。
【図１０】図９のＸ−Ｘ線による断面図。
【図１１】芝生バリカンを側方からみたときの断面図。
【図１２】芝生バリカンを下方からみたときの一部破断図。
【図１３】芝生バリカンの第１カムを示す図。
【図１４】芝生バリカンの第１カムと第２カムを示す図。
【図１５】芝生バリカンの第１可動部材と第２可動部材を示す断面図。
【符号の説明】
【００３６】
１０・・ヘッジトリマ
１２・・ヘッジトリマ本体
１６・・運転スイッチ
１８・・モータ
１８ａ・・モータの出力軸
３０・・シャーブレードアセンブリ
４１・・第１（上側）シャーブレード
４２・・第２（下側）シャーブレード
５１・・第１カム
５１ａ・・第１カムの外周側面
５２・・第２カム
５２ａ・・第２カムの外周側面
６１・・第１嵌合孔
６２・・第２嵌合孔
７１・・第１可動部材
７１ａ・・第１可動部材の円弧面
７１ｂ・・第１可動部材のテーパ面
７２・・第２可動部材
７２ａ・・第２可動部材の円弧面
７２ｂ・・第２可動部材のテーパ面
１１０・・芝生バリカン
１１２・・芝生バリカン本体
１１６・・運転スイッチ
１１８・・モータ
１４１・・第１（上側）ブレード
１４２・・第２（下側）ブレード
１５１・・第１カム
１５１ａ・・第１カムの外周側面
１５２・・第２カム
１５２ａ・・第２カムの外周側面
１６１・・第１嵌合孔
１６２・・第２嵌合孔
１７１・・第１可動部材
１７１ａ・・第１可動部材の円弧面
１７１ｂ・・第１可動部材のテーパ面
１７２・・第２可動部材
１７２ａ・・第２可動部材の円弧面
１７２ｂ・・第２可動部材のテーパ面
Ｃ・・回転軸
【図１】
0004647422.tif 000002
【図２】
0004647422.tif 000003
【図３】
0004647422.tif 000004
【図４】
0004647422.tif 000005
【図５】
0004647422.tif 000006
【図６】
0004647422.tif 000007
【図７】
0004647422.tif 000008
【図８】
0004647422.tif 000009
【図９】
0004647422.tif 000010
【図１０】
0004647422.tif 000011
【図１１】
0004647422.tif 000012
【図１２】
0004647422.tif 000013
【図１３】
0004647422.tif 000014
【図１４】
0004647422.tif 000015
【図１５】
0004647422.tif 000016